(57)【特許請求の範囲】
【請求項１】
上部ソール（１１）と下部ソール（１２）を含み、前記上部ソール（１１）と前記下部ソール（１２）との間にキャビティ（１３）が設けられ、前記キャビティ（１３）内には、圧縮可能で反発可能な複数の衝撃吸収要素（１４）が埋め込まれており、前記複数の衝撃吸収要素（１４）の上端部は前記上部ソール（１１）に接続し、前記複数の衝撃吸収要素（１４）の下端部は前記下部ソール（１２）に接続し、前記複数の衝撃吸収要素（１４）はソール（１０）の左右両側に分布し、各々の２つの対応する衝撃吸収要素（１４）は一列に並び、第１のバランスビーム（１５）によって接続され、
前記第１のバランスビーム（１５）は、各列の２つの衝撃吸収要素（１４）の中央部に接続することを特徴とする捻挫防止及び衝撃吸収バランスソール（１０）。
【請求項２】
前記ソール（１０）内の前記複数の衝撃吸収要素（１４）は、２つの行と複数の列に分布しており、各行の前記複数の衝撃吸収要素（１４）は独立して、前記ソール（１０）の前後方向に沿って、間隔を置いて配置されており、各列の２つの衝撃吸収要素（１４）は、第１のバランスビーム（１５）によって、前記ソール（１０）の左右の方向に接続されている、ことを特徴とする請求項１に記載の捻挫防止及び衝撃吸収バランスソール（１０）。
【請求項３】
前記複数の衝撃吸収要素（１４）は、前記ソール（１０）の踵部分だけに埋め込まれることを特徴とする請求項１に記載の捻挫防止及び衝撃吸収バランスソール（１０）。
【請求項４】
前記複数の衝撃吸収要素（１４）は、前記ソール（１０）の踵部分及び前足部分に同時に取り付けられることを特徴とする請求項１に記載の捻挫防止及び衝撃吸収バランスソール（１０）。
【請求項５】
第２のバランスビーム（１６）が、前記各列の２つの衝撃吸収要素（１４）の上端部を接続することを特徴とする請求項１に記載の捻挫防止及び衝撃吸収バランスソール（１０）。
【請求項６】
前記上部ソール（１１）が変形し難い硬質材料からなり、前記下部ソール（１２）が変形しやすい軟質材料からなる、ことを特徴とする請求項１に記載の捻挫防止及び衝撃吸収バランスソール（１０）。
【請求項７】
シューズパッド層（１７）が前記上部ソール（１１）の上に配置され、耐摩耗層（１８）が前記下部ソール（１２）の下に配置される、ことを特徴とする請求項１に記載の捻挫防止及び衝撃吸収バランスソール（１０）。
【請求項８】
前記複数の衝撃吸収要素（１４）はコイルバネであることを特徴とする請求項１に記載の捻挫防止及び衝撃吸収バランスソール（１０）。
【請求項９】
弾性材（１９）が衝撃吸収要素（１４）の各列の周囲領域に取り付けられ、前記キャビティ（１３）内の前記衝撃吸収要素（１４）の列の周囲領域が前記弾性材（１９）で完全に充填されることを特徴とする請求項８に記載の捻挫防止及び衝撃吸収バランスソール（１０）。
【請求項１０】
各コイルバネ内に弾性シリンダ（２０）があり、前記コイルバネが前記弾性シリンダ（２０）を被覆し、前記キャビティ（１３）の他の部分は空のままである、ことを特徴とする請求項８に記載の捻挫防止及び衝撃吸収バランスソール（１０）。
【請求項１１】
弾性材（２１）が、前記衝撃吸収要素（１４）の各列の周囲領域を包み、前記弾性材（２１）は、前記衝撃吸収要素（１４）の各列の周囲領域を一層包むのみで、前記キャビティ（１３）の他の部分は空のままであることを特徴とする請求項８に記載の捻挫防止及び衝撃吸収バランスソール（１０）。
【請求項１２】
ソール（１０）とバンプ（３０）を含み、前記バンプ（３０）が前記ソール（１０）と接続し、前記ソール（１０）が請求項１〜１１のいずれか１項に記載の捻挫防止及び衝撃吸収バランスソール（１０）であることを特徴とする履物。
【請求項１３】
発電装置（４０）をさらに含み、前記発電装置（４０）は、コイルブッシング（４１）と、永久磁石（４２）と、バッテリー（４３）を含み、前記コイルブッシング（４１）のコイルは、前記バッテリー（４３）と接続し、前記コイルブッシング（４１）と前記永久磁石（４２）の一方は、上部ソール（１１）に接続され、前記コイルブッシング（４１）と永久磁石（４２）の他方は、下部ソール（１２）に接続され、前記コイルブッシング（４１）は、永久磁石（４２）に対して相対的に移動するとき、永久磁石（４２）上を覆うことを特徴とする請求項１２に記載の履物。
【請求項１４】
前記コイルブッシング（４１）及び前記永久磁石（４２）は、前記ソール（１０）のキャビティ（１３）内に取り付けられ、前記ソール（１０）の踵部分に配置され、前記バッテリー（４３）は、前記バンプ（３０）に配置されていることを特徴とする請求項１３に記載の履物。
【請求項１５】
前記バッテリー（４３）は、電気機器を充電するために使用される充電インターフェース（４４）を備えていることを特徴とする請求項１３に記載の履物。
【発明の詳細な説明】
【技術分野】
【０００１】
本発明は、履物の技術分野に関し、特に、捻挫防止、衝撃吸収バランスソール及び履物に関する。
【背景技術】
【０００２】
人々の生活水準の向上に伴い、ますます多くの人々がスポーツや健康に注目し始め、ランニングは、最も人気のあるフィットネス運動の１つとして徐々に人々の日常レジャー生活を変えている。そして全国各地のマラソンブームに従って、ますます多くの若者だけでなく、中年や高齢者までランニング運動に参加して、ランニングの社会的普及率は年々上昇している。しかし、ランニングという運動は、体に対して、いくつか損傷をもたらし、例えば、膝や足首に害を及ぼすことがある。一旦、運動者に損傷が生じた場合、体に与える影響は大きく、走者が回復するまでに１週間かそれ以上の時間が掛かり、さらに生理学的及び心理的なダメージが引き起こされる。
【０００３】
靴は主にバンプとソールで構成される。靴が快適であるかどうかは、まずソールに依存する。ソールは、地面と直接接触する靴の部分であり、地面の摩擦による影響を直接受けるとともに、足に地面の反作用力を与える。ソールは特に、運動の衝撃力による負傷を避け、運動や競技の目的を達成するために、十分な衝撃吸収機能を持つ必要がある。運動中、両足を効果的に保護できるだけでなく、疲労感を軽減できることが望ましい。
【０００４】
そのため、エアクッション付きのスニーカーが最初に発明された。そのようなスニーカーは、足と地面の間の衝撃に対する緩衝材として作用し、膝又は足首への負傷を軽減することができる。しかし、エアクッションはあまりにも厚く柔らかいので、靴が石や他人の足を踏みつけると、ソールが一定の角度転倒し、足首を挫き、つまり一般的に捻挫と呼ばれている。さらに、衝撃吸収シールが壊れると、空気が漏れ、靴が衝撃吸収効果を失う。
【０００５】
その後、ハイカットを有するバスケットボールシューズが登場し、ハイカットによって靴の上部を足首の上の脛に固定している。このように、ソールの転倒の程度を低下させ、運動による足首への負傷を軽減することができる。しかし、ランニングシューズの場合、軽量でフィット感があり、良く衝撃を緩衝することが最も重要であるため、ランニングシューズがバスケットボールシューズのようなハイカットのあるものとして設計されると、追加された材料はシューズの総重量を著しく増加させ、シューズが、特に長距離ランニングに適さなくなる。
【０００６】
しかしながら、現在のランニングシューズは、特にレーストラックなどの舗装路面用に設計されているため、全面的なフィットネスにおける日常の道路に適していない。さらに、一般的なランニングシューズのソールは硬く、変形が少なく、足と地面との間に平行を保つのには不利であり、足首を捻挫する傾向がある。
【０００７】
したがって、軽量でフィット感があり、衝撃緩衝機能が良く、運動中に足首を捻挫しない新しいランニングシューズを提供する必要がある。
【発明の概要】
【発明が解決しようとする課題】
【０００８】
本発明の目的は、良好な衝撃吸収効果を有し、運動のバランス安定性を改善し、かつ足首の捻挫を効果的に防止し、スポーツによる負傷を回避することができる捻挫防止及び衝撃吸収バランスソールを提供することである。
【課題を解決するための手段】
【０００９】
本発明の一つの実施形態では、上部ソールと下部ソールを含み、この上部ソールとこの下部ソールとの間にキャビティが設けられた捻挫防止及び衝撃吸収バランスソールが提供される。このキャビティ内には、圧縮可能で反発可能な複数の衝撃吸収要素が埋め込まれており、これらの複数の衝撃吸収要素の上端部は上部ソールに接続し、複数の衝撃吸収要素の下端部は下部ソールに接続する。これらの複数の衝撃吸収要素は、ソールの左右両側に分布し、各々の２つの対応する衝撃吸収要素は、一列に並び、第１のバランスビームによって接続される。
【００１０】
一つの実施形態では、ソール内の複数の衝撃吸収要素は、２つの行と複数の列に分布している。各列の複数の衝撃吸収要素は独立して、ソールの前後方向に沿って、間隔を置いて配置されており、各列の２つの衝撃吸収要素は、第１のバランスビームによってソールの左右の方向に接続されている。
【００１１】
別の実施形態では、前記複数の衝撃吸収要素は、前記ソールの踵部分だけに埋め込まれる。
【００１２】
さらに別の実施形態では、前記複数の衝撃吸収要素は、前記ソールの踵部分及び前足部分に同時に取り付けられる。
【００１３】
一つの実施形態では、前記第１のバランスビームは、各列の２つの衝撃吸収要素の中央部に接続する。
【００１４】
別の実施形態では、第２のバランスビームは、各列の前記２つの衝撃吸収要素の上端部を接続する。
【００１５】
一つの実施形態では、前記上部ソールは変形し難い硬質材料からなり、前記下部ソールは変形しやすい軟質材料からなる。
【００１６】
一つの実施形態では、シューズパッド層が前記上部ソールの上に配置され、耐摩耗層が前記下部ソールの下に配置される。
【００１７】
一つの実施形態では、前記複数の衝撃吸収要素はコイルバネである。
【００１８】
一つの実施形態では、弾性材が衝撃吸収要素の各列の周囲領域に取り付けられ、キャビティ内の衝撃吸収要素の列の周囲領域が弾性材で完全に充填される。
【００１９】
別の実施形態では、各コイルバネ内に弾性シリンダがあり、この弾性シリンダにコイルバネが被覆され、キャビティの他の部分は空のままである。
【００２０】
さらに別の実施形態では、弾性材は、衝撃吸収要素の各列の周囲領域から包み込まれ、その弾性材は、衝撃吸収要素の各列の周囲領域を一層包むのみで、キャビティの他の部分は空のままである。
【００２１】
本発明は、ソールとバンプを含み、前記バンプが前記ソールと接続し、前記ソールが上述の捻挫防止及び衝撃吸収バランスソールである履物をさらに提供する。
【００２２】
一つの実施形態では、前記履物は、発電装置をさらに含み、前記発電装置は、コイルブッシングと、永久磁石と、バッテリーを含み、前記コイルブッシングのコイルは、前記バッテリーと接続し、前記コイルブッシングと前記永久磁石の一方は、上部ソールに接続され、コイルブッシングと永久磁石の他方は、下部ソールに接続され、前記コイルブッシングは、永久磁石に対して相対的に移動するときに、永久磁石上を覆うことができる。
【００２３】
別の実施形態では、前記コイルブッシング及び永久磁石は、前記ソールのキャビティ内に取り付けられ、前記ソールの踵部分に配置される。前記バッテリーは、前記バンプに配置されている。
【００２４】
さらに別の実施形態では、前記バッテリーは、電気機器を充電するために使用される充電インターフェースも備えている。
【発明の効果】
【００２５】
従来のランニングシューズと比較して、上記の捻挫防止及び衝撃吸収バランスソール及び履物は、ソール内に衝撃吸収要素が配置されることによって、地面から足への衝撃を緩衝することができ、良好な衝撃吸収効果を有する。さらに、各列の２つの衝撃吸収要素を接続するバランスビームは、道路が平らでない場合やユーザーが石を踏みつける場合、反対のロールトルクを生成する。上記の反対のロールトルクは、ソールがさらに転倒するのを防ぐことができるため、歩行時のバランス安定性を向上させる。これにより、捻挫の発生をさらに効果的に防止することができ、スポーツによる負傷を回避することができる。
【図面の簡単な説明】
【００２６】
【図１】図１は、本発明の第１実施形態における履物の構造模式図である。
【図２】図２は、図１における捻挫防止及び衝撃吸収バランスソールの分解模式図である。
【図３】図３は、図１におけるソールの圧縮されていない衝撃吸収システムの模式図である。
【図４】図４は、図１におけるソールの圧縮された衝撃吸収システムの模式図である。
【図５】図５は、図１におけるソールの衝撃吸収システムの、ランナーが平らでない道を踏みつける場合の模式図である。
【図６】図６は、図１におけるソールの衝撃吸収システムの、ランナーがバランスを失った場合の模式図である。
【図７】図７は、本発明の第２実施形態における履物の構造模式図である。
【図８】図８は、図７における捻挫防止及び衝撃吸収バランスソールの分解模式図である。
【図９】図９は、本発明の第３実施形態における履物の構造模式図である。
【図１０】図１０は、本発明の第４実施形態における履物の構造模式図である。
【図１１】図１１は、図１０における下部ソールの上面図を示す。
【図１２】図１２は、本発明の第５実施形態における履物の構造模式図である。
【図１３】図１３は、図１２における下部ソールの上面図を示す。
【図１４】図１４は、本発明の実施形態６の履物の構造模式図である。
【図１５】図１５は、図１４における下部ソールの上面図を示す。
【図１６】図１６は、本発明の実施形態７における履物の構造模式図である。
【発明を実施するための形態】
【００２７】
以下、本発明の実施形態について図面を参照して説明する。本発明の好ましい実施形態の以下の説明は、例示と説明のみを目的として本明細書に提示されていることに留意されたい。包括的であること、又は開示された具体的な形態に限定されることを意図するものではない。
〈第１の実施形態〉
【００２８】
図１は、本発明の第１の実施形態における履物の構造模式図を示す。図２は、図１の捻挫防止及び衝撃吸収バランスソールの分解模式図である。図１及び図２に示されるように、前記履物は、ソール１０とバンプ３０を含み、バンプ３０は、接着又は縫合によって、ソール１０と接続されている。ソール１０は、上部ソール１１と下部ソール１２を含み、上部ソール１１と下部ソール１２との間にキャビティ１３が設けられ、キャビティ１３内には、圧縮且つ反発可能な複数の衝撃吸収要素１４が埋め込まれている。これらの複数の衝撃吸収要素１４の上端部は上部ソール１１に接続し、複数の衝撃吸収要素１４の下端部は下部ソール１２に接続する。複数の衝撃吸収要素１４はソール１０の左右両側に分布し、各々の２つの対応する衝撃吸収要素１４は、一列に並び、第１のバランスビーム１５を介して、衝撃吸収システムを形成するように接続されている。第１のバランスビーム１５はある程度の剛性を有し、金属又は非金属などの硬い細い棒からなる。
【００２９】
より具体的には、図２に示すように、ソール１０内の複数の衝撃吸収要素１４は、２つの行と複数の列に分布している。各行の複数の衝撃吸収要素１４は、独立して、ソール１０の前後方向に沿って、間隔を置いて配置されている。すなわち、各行の複数の衝撃吸収要素１４は、互いに独立しており、互いに接続されていない。一方、各列の二つの衝撃吸収要素１４は、ソール１０の左右方向（列に平行する）に沿って第１のバランスビーム１５を介して接続されている。
【００３０】
この実施形態では、複数の衝撃吸収要素１４は、ソール１０の踵部分に単に埋め込まれている。このようにして、三列の衝撃吸収要素１４は、ソール１０の踵部分に捻挫防止及び衝撃吸収効果を与える。図１及び図２は、衝撃吸収要素１４の３列のみを示しているが、当業者は、説明目的のために、衝撃吸収要素の量を制限するものではないことを理解することができる。ソールの踵部分に埋め込まれた衝撃吸収システムは、履物の体積を減少させるだけでなく、走行中の地面からの衝突を緩衝して衝撃を吸収し、ランナーを捻挫から保護する。
【００３１】
この実施形態では、第１のバランスビーム１５は、各列の２つの衝撃吸収要素１４の中央部に接続する。図１及び図２に示されるように、中央部は衝撃吸収要素１４の中間の高さの位置を指す。また、中央部は衝撃吸収要素１４の内側を指す。第１のバランスビーム１５の存在により、衝撃吸収要素１４は衝突を効果的に緩衝し、地面からの衝撃を吸収することができるので、ランナーを足首捻挫から保護することができる。
【００３２】
さらに、別の実施形態では、第２のバランスビーム１６が、前記各列の各２つの衝撃吸収要素１４の上端部を接続する。第２のバランスビーム１６は、さらに、ランナーが石又は平らでない道路を踏みつける以外の自己の原因により足首を捻挫するのを防ぐことができる。また、第２のバランスビーム１６は一定の剛性を有しており、金属や非金属などの硬い細い棒からなる。
【００３３】
この実施形態では、複数の衝撃吸収要素１４は、コイルバネ、金属又は非金属であってもよい。コイルバネは、円柱形、截頭錐形、円錐形、円錐台形又は他の形状にすることができる。第１のバランスビーム１５の両端は、溶接、結合又は一体成形により対応するコイルバネに固定されている。第２のバランスビーム１６の２つの端部も同様に、対応するコイルバネに固定される。コイルバネの一端（上端）が上部ソール１１に固定され、コイルバネの他端（下端）が下部ソール１２に固定されている。コイルバネとそれに対応するバランスビームとの固定接続の安定性を保証するために、上部ソール１１及び／又は下部ソール１２は固定点において、溝又はラグボスを備える。コイルバネの端部は、溝内に埋め込まれて固定されるか、又はラグボスに被覆される。
【００３４】
図３及び図４に示すように、ソールに均一荷重が加えられると、第１のバランスビーム１５及び第２のバランスビーム１６は応力を受けず、ソールの複数の衝撃吸収要素１４はすべて路面に対して垂直な方向の圧力を受ける。この場合、衝撃吸収要素１４は通常圧縮され、緩衝及び衝撃吸収効果を実現する。
【００３５】
図５に示すように、ソール１０の一方の側が物体を踏みつけると、下部ソール１２は変形する傾向、すなわち物体を踏みつけない他方の側に転倒する傾向がある。次いで、剛性の第１のバランスビーム１５は、転倒傾向と反対のロールトルクを生じ、ロールトルクは、ソール１０が物体を踏みつけた側に下向きの力を生じさせ、反対側に上向きの力を引き起こす。このようにして、転倒の傾向が減少し、これによりランナーの足首が捻挫するのを防ぐことができる。
【００３６】
図６に示すように、この状況では、道路は平らであるが、足の重量は片側にシフトする。これに対応して、上部ソール１１は、足がシフトする一方の側に転倒する傾向があり、第２のバランスビーム１６が一方の側への上向きの力と他方の側への下向きの力とを生じさせる。すなわち、第２のバランスビーム１６は、転倒の傾向が減少し、ランナーの足首が捻挫することを防ぐ反対のロールトルクを上部ソール１１に提供する。
【００３７】
この実施形態では、上部ソール１１は変形しにくい硬質材料からなり、下部ソール１２は変形しやすい軟質材料からなる。下部ソール１２の材質は柔らかく、第１のバランスビーム１５もある程度の弾性を有し、弾性が限界に達した後でのみ、ソール１０の転倒を防止することができる。従って、弾性限界の範囲内では、下部ソール１２は柔らかいので、下部ソール１２及び第１のバランスビーム１５の弾性は共に履物を水平に保つことができる。下部ソール１２がより大きな物体を踏みつけると、下部ソール１２の変形が大きくなり、この場合、第１のバランスビーム１５の弾性が限界を超える。この状況で、第１のバランスビーム１５は、ソールの転倒を防止して、ランナーの足首を捻挫するのを防止することができる。一方、上部ソール１１は、硬質材料からなり、足部に対して水平方向の支持を維持することができる。
【００３８】
本発明の衝撃吸収システムは、従来の履物の衝撃吸収システムと比較して、従来とは全く反対の考え方を有する。すなわち、従来の履物の衝撃吸収システムは足に近い側に取り付けられる一方、本発明における履物の衝撃吸収システムは道路に近い側に取り付けられている。このようにして、本発明の衝撃吸収システムは、道路からの振動の大部分を吸収することができ、捻挫を有効に回避することができる。
【００３９】
本実施形態における履物の衝撃吸収システムは、スニーカー、バスケットボールシューズ、ランニングシューズ、運動レジャーシューズ又は革靴に適用することができ、高さが増加する靴又はハイヒールの靴にも適用できる。高さが増加する靴又はハイヒールの靴では、踵の高さが増加し、踵は一般的に硬質材料で作られる。これらの靴は、バランスを失い、捻挫が発生する傾向があるときに、歩行中のユーザーに負荷を与える。これに対して、本発明の衝撃吸収装置は、歩行中のバランスを改善し、捻挫を回避することができる。
〈第２の実施形態〉
【００４０】
図７は、本発明の実施例２における履物の構造模式図を示す。図８は、図７の捻挫防止及び衝撃吸収バランスソールの分解模式図である。図７及び図８を参照する。この実施形態における履物は、前記の第１の実施形態のものと同様であり、相違点は、この実施形態において、衝撃吸収要素１４がソール１０の踵部分及び前足部分に取り付けられることである。図７及び図８は、８列の衝撃吸収要素１４のみを示している。この設計は、ソール１０の踵部分及び前足部分の両方を捻挫防止及び衝撃吸収効果を有するようにする。衝撃吸収システムをソールの踵部分及び前足部分に埋め込むことにより、足への応力をソール全体に分散させることができ、第１の実施形態で踵にストレスが集中することを改善することができる。さらに、衝撃吸収システムは、運動中に地面からの振動を緩衝し、捻挫を回避することができ、したがってユーザーの足を保護することができる。
〈第３の実施形態〉
【００４１】
図９は、本発明の第３の実施形態における履物の模式図を示す。図９に示すように、本実施形態の履物は、第２の実施形態の履物と同様であり、相違点は、本実施形態において、履き心地を向上させるために軟質材料製のシューズパッド層１７を上部ソール１１の上に配置することである。一方、ソールの耐摩耗性及び耐スリップ性を向上させるために、下部ソール１２の下方に耐摩耗層１８を設置する。
〈第４の実施形態〉
【００４２】
図１０は、本発明の実施形態４における履物の模式図を示す。図１１は、図１０に示される下部ソールの上面図を示す。図１０及び図１１に示すように、本実施形態の履物は、実施形態２と同様であり、相違点は、この実施形態において、キャビティ１３内に、各列の衝撃吸収要素１４の周囲に弾性材１９が設けられていることである。キャビティ１３内の衝撃吸収要素１４の列の周囲領域は、弾性材１９で完全に充填されている。弾性材１９は、柔らかいゴム材料からなる。一実施形態では、これは、良好な弾性及び柔軟性を有するエチレン−酢酸ビニルコポリマー（ＥＶＡ）からなる。この実施形態では、衝撃吸収要素１４の周囲が弾性材１９で充填されているため、足への応力はより均一になり、第１及び第２の実施形態で説明したように応力が衝撃吸収要素１４に集中するという欠点を克服し、ソールの安定性及び捻挫防止効果を向上させる。
〈第５の実施形態〉
【００４３】
図１２は、本発明の実施形態５における履物の模式図を示す。図１３は、図１２に示される下部ソールの上面図を示す。図１２及び図１３に示すように、本実施形態の履物は、第２の実施形態と同様であり、相違点は、この実施形態において、キャビティ１３内に、各コイルバネに弾性シリンダ２０が設けられていることである。衝撃吸収要素１４として作用するコイルバネは、弾性シリンダ２０を被覆している。キャビティ１３の他の部分は空のまま（図示せず）である。弾性シリンダ２０は、柔らかいゴム材料からなる。この実施形態では、これは、良好な弾性及び柔軟性を有するエチレン−酢酸ビニルコポリマー（ＥＶＡ）からなる。この実施形態では、衝撃吸収要素１４として作用するコイルバネが弾性シリンダ２０を被覆しており、弾性シリンダ２０は、コイルバネの圧縮及び反発運動のための案内を提供することができ、従って、ソールの安定性及び捻挫防止効果を向上させる。
〈第６の実施形態〉
【００４４】
図１４は、本発明の実施形態６における履物の模式図を示す。図１５は、図１４に示された下部ソールの上面図を示す。図１４及び図１５に示すように、本実施形態の履物は、第２の実施形態と同様であり、相違点は、本実施形態において、キャビティ１３内に、各列の衝撃吸収要素１４の周囲を弾性材２１が包み、キャビティ１３の他の部分は空のまま（図示せず）であることである。この実施形態では、弾性材２１は、各列の衝撃吸収要素１４の周囲を包む弾性材２１が一層のみ存在する。弾性材２１は柔らかいゴム材料からなる。例えば、これは、良好な弾性及び柔軟性を有するエチレン−酢酸ビニルコポリマー（ＥＶＡ）からなる。この実施形態では、衝撃吸収要素１４の周囲を弾性材２１が包み、弾性材２１が衝撃吸収要素１４の境界を制限し、それらの上下伸縮のための案内を提供し、従ってソールの安定性及び捻挫防止効果を向上させる。
〈第７の実施形態〉
【００４５】
図１６は、本発明の第７の実施形態の履物の模式図を示す。図１６に示すように、本実施形態の履物は、第１の実施形態又は第２の実施形態と同様である。第１の実施形態及び第２の実施形態において、衝撃吸収システムは、ソールを往復運動させる。第７の実施形態と第１及び第２の実施形態との相違点は、上記の特徴に基づき、本実施形態の踵部分及び／又は前足部分に往復圧電発電装置４０があることである。歩行中、踵部分の往復運動は、発電装置４０を自己発電させることができる。また、リチウム電池のようなバッテリー４３はバンプ３０に配置される。バッテリー４３のアノード及びカソードは発電装置４０のアノード及びカソードと電気的に接続されており、発電装置４０はバッテリー４３を充電する。一実施形態では、バッテリー４３にはＵＳＢ充電器のような充電インターフェース４４も装備されている。緊急時に携帯電話などの電気機器を充電することができる。
【００４６】
発電装置４０は、コイルブッシング４１と永久磁石４２を備え、コイルブッシング４１のコイルがバッテリー４３に接続されている。コイルブッシング４１と永久磁石４２の一方が上部ソール１１に接続し、コイルブッシング４１と永久磁石４２の他方が下部ソール１２に接続される。すなわち、コイルブッシング４１が上部ソール１１に接続される場合、永久磁石４２は下部ソール１２に接続される。永久磁石４２が上部ソール１１に接続される場合、コイルブッシング４１は下部ソール１２に接続される。一実施形態では、コイルブッシング４１は上部ソール１１に接続され、永久磁石４２は下部ソール１２に接続される。この状況で、上部ソール１１と下部ソール１２の間の相対的な移動により、コイルブッシング４１が永久磁石４２に対して相対的に移動し、且つコイルブッシング４１が永久磁石４２上を覆うようになる。コイルブッシング４１と永久磁石４２の間の往復運動は、磁力線を切断して発電する。上述した衝撃吸収要素１４とバランスビーム１５、１６とを備える衝撃吸収システムは、往復圧電発電装置４０の戻り装置として働く。
【００４７】
以上の説明から明らかなように、本発明の実施形態によれば、捻挫防止及び衝撃吸収バランスソール及びそれを備えた履物が提供され、以下の効果を奏する。第１に、ソールの衝撃吸収要素は、地面から足への衝突を緩衝することができ、良好な衝撃吸収効果を有する。第２に、各列の２つの衝撃吸収要素を接続するバランスビームは、道路が平らでない場合又はユーザーが石を踏みつける場合、反対のロールトルクを提供することができる。第３に、ソールがさらに転倒するのを防ぐことができ、従って歩行時のバランス安定性を向上させる。これにより、捻挫の発生をさらに効果的に防止することができ、スポーツによる負傷を回避することができる。
【００４８】
上記は本発明の好ましい実施形態に過ぎず、いかなる形態においても本発明に限定されるものではな、本発明は、その好ましい実施形態を参照して例として示したが、本発明を限定するものではなく、当業者であれば、本発明の技術的解決の範囲から逸脱することなく、上記に開示された技術内容を利用して、同等の実施形態に対するいくつかの変更又は修正を行うことができるが、本発明の技術的詳細に従った上記の実施形態に対する任意の簡単な変更、均等な変更及び修正は、依然として本発明の技術的解決の範囲内にある。
【図１】
0006419356.tif 000002
【図２】
0006419356.tif 000003
【図３】
0006419356.tif 000004
【図４】
0006419356.tif 000005
【図５】
0006419356.tif 000006
【図６】
0006419356.tif 000007
【図７】
0006419356.tif 000008
【図８】
0006419356.tif 000009
【図９】
0006419356.tif 000010
【図１０】
0006419356.tif 000011
【図１１】
0006419356.tif 000012
【図１２】
0006419356.tif 000013
【図１３】
0006419356.tif 000014
【図１４】
0006419356.tif 000015
【図１５】
0006419356.tif 000016
【図１６】
0006419356.tif 000017